(57)【要約】【課題】２つのカバー部材の開閉状態を一つのセンサーで検知可能な画像読取装置及び画像形成装置を提供する。【解決手段】画像読取装置２０は、原稿カバー２２と、ＡＤＦ２１と、検知機構７０とを備える。ＡＤＦ２１は、ＡＤＦカバー２９を備える。検知機構７０は、アクチュエータ７１と、フォトインタラプタ７２とにより構成されており、アクチュエータ７１は、原稿カバー２２の回動位置にかかわらず常に一定の姿勢を維持可能にＡＤＦカバー２９に揺動自在に支持されている。アクチュエータ７１は、原稿カバー２２が前記第１閉位置にありＡＤＦカバー２９が前記第２閉位置にあるときに被検知部８１が間隙７２Ｃに配置される第１検知位置と、原稿カバー２２及びＡＤＦカバー２９のいずれか一方が前記第１開位置又は前記第２開位置にあるときに被検知部８１が間隙７２Ｃから離れた領域に配置される第２検知位置とに変位して、その位置が検知される。【選択図】図９
2015142331.tif 000002
【特許請求の範囲】
【請求項１】
装置本体と、
第１支軸を支点に回動可能に前記装置本体に支持され、前記装置本体の上面を覆う第１閉位置と前記上面から離間する第１開位置との間で変位する第１カバー部材と、
前記第１カバー部材に設けられ、予め定められた読取位置へシートを搬送するシート搬送部と、
前記第１支軸に直交する第２支軸を支点に回動可能に前記第１カバー部材に支持され、前記シート搬送部の内部を閉塞する第２閉位置と前記シート搬送部の内部を開放する第２開位置との間で変位する第２カバー部材と、
前記第１カバー部材に設けられ、検知領域における被検知部の有無を検知可能なセンサーと、
前記被検知部を有し、前記第１カバー部材が前記第１閉位置にあり前記第２カバー部材が前記第２閉位置にあるときに前記被検知部が前記検知領域に配置される第１検知位置と、前記第１カバー部材及び前記第２カバー部材のいずれか一方が前記第１開位置又は前記第２開位置にあるときに前記被検知部が前記検知領域から離れた領域に配置される第２検知位置との間で変位可能な検知部材と、を備える画像読取装置。
【請求項２】
前記検知部材は、前記第２支軸から前記第２カバー部材の回動端へ向かう方向に延びる第１揺動軸を中心に揺動自在に前記第２カバー部材に設けられ、前記第２支軸の軸方向に延びるアーム形状に形成されており、その延出端に前記被検知部が設けられている請求項１に記載の画像読取装置。
【請求項３】
前記検知部材の前記被検知部は、前記第２カバー部材における前記第２支軸の軸方向に垂直な側面から前記第２支軸の軸方向の外方向へ露出されており、
前記センサーは、前記第２カバー部材が前記第２閉位置にあるときに前記側面に対向する位置に設けられている請求項１又は２に記載の画像読取装置。  
【請求項４】
前記第２カバー部材が前記第２閉位置にあるときに前記検知部材が挿入される縦溝部が前記第１カバー部材に設けられており、
前記検知部材が前記縦溝部から抜け出るときに前記検知部材に当接して前記被検知部を上方へ変位させることが可能なガイド面が前記縦溝部の前記第２支軸側の縁部に設けられている請求項１から３のいずれかに記載の画像読取装置。
【請求項５】
前記検知部材を弾性付勢する付勢部材を更に備え、
前記検知部材は、前記第１カバー部材の変位に応じて前記装置本体の前記上面に対して接離する接離方向へ変位可能であり、且つ、前記第２カバー部材の変位に応じて前記第２支軸に直交する直交方向へ移動可能に設けられており、
前記付勢部材は、前記検知部材を前記接離方向及び前記直交方向へ変位可能なように付勢する請求項１に記載の画像読取装置。
【請求項６】
前記検知部材は、前記第１カバー部材が前記第１開位置に変位したときに前記付勢部材の付勢力によって前記上面側へ移動して前記被検知部を前記第１検知位置から前記第２検知位置に配置し、前記第２カバー部材が前記第２開位置に変位したときに前記付勢部材による付勢力によって前記第２支軸側へ移動して前記被検知部を前記第１検知位置から前記第２検知位置に配置する請求項５に記載の画像読取装置。
【請求項７】
請求項１から６のいずれかに記載の画像読取装置と、
前記画像読取装置によって読み取られた画像に基づいて画像を形成可能な画像形成部と、を備える画像形成装置。
【発明の詳細な説明】
【技術分野】
【０００１】
本発明は、装置本体の上面に対して開閉可能に設けられた第１カバー部材と、ＡＤＦの内部を開閉するための第２カバー部材とを備えた画像読取装置、及びこれを備えた画像形成装置に関する。
【背景技術】
【０００２】
電子写真方式によって用紙に画像を形成する複写機やプリンター等の画像形成装置には画像読取装置が搭載されている。画像読取装置として、自動原稿送り装置（ＡＤＦ：Auto Document Feeder）が一体に設けられた原稿カバーを備えたものが知られている。自動原稿送り装置の内部には、原稿を搬送する搬送ローラー対が設けられており、また、搬送ローラー対による原稿の搬送経路が形成されている。搬送経路に原稿が詰まった場合に、原稿を除去するために、ＡＤＦには搬送経路を開放するための外装カバーが開閉可能に設けられている。
【０００３】
従来、原稿カバーの開閉状態を検知する機構を備えた装置が知られている（特許文献１参照）。例えば、原稿カバーの回動支持部の近傍にセンサーを設け、当該センサーによって原稿カバーの開閉状態が検知される。また、従来、ＡＤＦの外装カバーの開閉状態を検知する機構を備えた装置が知られている（特許文献２参照）。例えば、ＡＤＦの内部にセンサーを設け、当該センサーによって外装カバーの開閉状態が検知される。
【先行技術文献】
【特許文献】
【０００４】
【特許文献１】特開平７−３１９３３２号公報
【特許文献２】特開２０１１−１９１６３０号公報
【発明の概要】
【発明が解決しようとする課題】
【０００５】
しかしながら、従来の装置では、原稿カバー及びＡＤＦの外装カバーそれぞれの開閉状態を検知する場合、原稿カバー及び外装カバーそれぞれに対応した２つのセンサーを設ける必要がある。このため、センサーの取り付け部も２箇所必要であり、部品点数が増えてコストアップになる。また、２つのセンサーの取り付け部のためのスペースを確保する必要があり、また、２つのセンサーからの配線の引き回しのためのスペースを確保する必要があるため、装置のコンパクト化を阻害している。
【０００６】
本発明は、前記事情に鑑みてなされたものであり、その目的は、２つのカバー部材の開閉状態を一つのセンサーで検知可能な画像読取装置及び画像形成装置を提供することにある。
【課題を解決するための手段】
【０００７】
本発明の一の局面に係る画像読取装置は、装置本体と、第１カバー部材と、シート搬送部と、第２カバー部材と、センサーと、検知部材と、を備える。前記第１カバー部材は、第１支軸を支点に回動可能に前記装置本体に支持され、前記装置本体の上面を覆う第１閉位置と前記上面から離間する第１開位置との間で変位する。前記シート搬送部は、前記第１カバー部材に設けられ、予め定められた読取位置へシートを搬送する。前記第２カバー部材は、前記第１支軸に直交する第２支軸を支点に回動可能に前記第１カバー部材に支持され、前記シート搬送部の内部を閉塞する第２閉位置と前記シート搬送部の内部を開放する第２開位置との間で変位する。前記センサーは、前記第１カバー部材に設けられ、検知領域における被検知部の有無を検知可能である。前記検知部材は、前記被検知部を有する。前記検知部材は、前記第１カバー部材が前記第１閉位置にあり前記第２カバー部材が前記第２閉位置にあるときに前記被検知部が前記検知領域に配置される第１検知位置と、前記第１カバー部材及び前記第２カバー部材のいずれか一方が前記第１開位置又は前記第２開位置にあるときに前記被検知部が前記検知領域から離れた領域に配置される第２検知位置との間で変位可能である。
【０００８】
本発明の他の局面に係る画像形成装置は、前記画像読取装置と、画像形成部と、を備える。前記画像形成部は、前記画像読取装置によって読み取られた画像に基づいて画像を形成可能に構成されている。
【発明の効果】
【０００９】
本発明によれば、２つのカバー部材の開閉状態を一つのセンサーで検知することが可能になる。
【図面の簡単な説明】
【００１０】
【図１】図１は、本発明の第１実施形態に係る画像形成装置及び画像読取装置の構成を示す図である。
【図２】図２は、画像読取装置の構成を示す図である。
【図３】図３（Ａ）は、画像読取装置の原稿カバーが閉じられた状態を示す斜視図であり、図３（Ｂ）は、画像読取装置の原稿カバーが開けられた状態を示す斜視図である。
【図４】図４は、画像読取装置のＡＤＦカバーが開けられた状態を示す斜視図である。
【図５】図５は、画像読取装置のＡＤＦカバー及びサイドカバーが取り外された状態を示す斜視図である。
【図６】図６は、図５の要部ＶＩの拡大図であり、第１実施形態の検知機構を示す図である。
【図７】図７は、ＡＤＦカバーに取り付けられたアクチュエータを示す斜視図である。
【図８】図８（Ａ）及び図８（Ｂ）は、アクチュエータの斜視図である。
【図９】図９（Ａ）及び図９（Ｂ）は、図６の切断線ＩＸ−ＩＸの断面図である。
【図１０】図１０（Ａ）及び図１０（Ｂ）は、図６の切断線Ｘ−Ｘの断面図である。
【図１１】図１１は、本発明の第２実施形態に係る検知機構を示す模式図である。
【図１２】図１２は、図１１の検知機構の動作を説明するための図である。
【発明を実施するための形態】
【００１１】
以下、適宜図面を参照して本発明の実施形態について説明する。なお、以下に説明される実施形態は本発明を具体化した一例にすぎず、本発明の要旨を変更しない範囲で、本発明の実施形態は適宜変更できる。
【００１２】
［第１実施形態］
図１乃至図１０を参照して、本発明の第１実施形態に係る画像形成装置１０（本発明の画像形成装置の一例）及び画像読取装置２０（本発明の画像読取装置の一例）の構成について説明する。なお、以下の説明では、画像形成装置１０が平坦な支持面に設置された状態（図１に示される状態）を基準として上下方向６を定義する。また、図１の紙面に対して手前側の面を画像形成装置１０の正面（前面）として前後方向７を定義する。また、図１の画像形成装置１０を正面側から見て左右方向８（図１の紙面に垂直な方向）を定義する。
【００１３】
図１に示されるように、画像形成装置１０は、画像読取装置２０、画像形成部３０（本発明の画像形成部の一例）、操作表示部２４（図３参照）、給紙カセット２５、及びこれらを制御する制御部（不図示）を備えている。なお、本実施形態では、本発明の一実施形態として画像読取装置２０を備えた画像形成装置１０を例示するが、本発明はこれに限られず、画像読取装置２０そのものや、或いは少なくとも画像読取装置２０を備えたプリンター、ファクシミリ装置、複写機として本発明が実現されていてもよい。
【００１４】
画像形成部３０は、画像読取装置２０で読み取られた画像データ、又は外部のパーソナルコンピュータ等の情報処理装置から通信によって入力された印刷ジョブに基づいて、電子写真方式による画像形成処理（印刷処理）を実行する。具体的には、図１に示されるように、画像形成部３０は、感光体ドラム３１、帯電装置３２、現像装置３３、トナーコンテナ３４、転写ローラー３５、除電装置３６、定着ローラー３７、加圧ローラー３８、これらを収容する筐体３０Ａなどを備えている。なお、本実施形態では、電子写真方式の画像形成部３０を例にして説明するが、画像形成部３０は電子写真方式のものに限られず、インクジェット記録方式のものであっても、或いはそれ以外の記録方式又は印刷方式のものであってもかまわない。
【００１５】
ここで、画像形成部３０では、給紙カセット２５から供給される印刷用紙に対する画像形成処理が以下の手順で行われる。まず、印刷指示を含む印刷ジョブが入力されると、帯電装置３２によって感光体ドラム３１が所定の電位に一様に帯電される。次に、不図示のレーザスキャニングナユニット（ＬＳＵ）により感光体ドラム３１の表面に前記印刷ジョブに含まれる画像データに基づく光が照射される。これにより、感光体ドラム３１の表面に静電潜像が形成される。そして、感光体ドラム３１上の静電潜像は現像装置３３によってトナー像として現像（可視像化）される。なお、現像装置３３には、トナーコンテナ３４からトナー（現像剤）が補給される。続いて、感光体ドラム３１に形成されたトナー像は転写ローラー３５によって印刷用紙に転写される。その後、印刷用紙に転写されたトナー像は、その印刷用紙が定着ローラー３７及び加圧ローラー３８の間を通過して排出される際に定着ローラー３７で加熱されて溶融定着する。これにより、印刷用紙に画像が形成される。なお、感光体ドラム３１の電位は除電装置３６で除電される。
【００１６】
図３に示されるように、操作表示部２４は、画像読取装置２０に設けられている。操作表示部２４は、各種操作キーや液晶ディスプレイなどを備えて構成されている。操作キーとして、例えば、原稿の読取開始指示を入力するためのスタートボタン、読み取りを中断させるストップボタン、テンキー、十字キーなどが配列されている。画像形成装置１０では、操作表示部２４から入力された種々の動作指示にしたがって、画像読取処理や画像形成処理が実行される。なお、ユーザーが画像読取動作や画像形成動作を実行させるために前記操作キーを操作すると、前記操作キーの接点信号が操作入力信号として操作表示部２４から前記制御部（不図示）に出力される。
【００１７】
画像読取装置２０は、原稿から画像データを読み取る画像読取処理を実行するものである。図１に示されるように、画像読取装置２０は、画像読取部３０の筐体３０Ａの上部に設けられている。
【００１８】
図２に示されるように、画像読取装置２０は、コンタクトガラス１１、読取ユニット１２、ミラー１３，１４、光学レンズ１５、ＣＣＤ１６、及びこれらを収容する筐体２０Ａなどを備えている。筐体２０Ａは本発明の装置本体の一例である。筐体２０Ａの上面２０Ｂ（図３（Ｂ）参照）にコンタクトガラス１１が取り付けられており、筐体２０Ａの内部に読取ユニット１２等が設けられている。また、画像読取装置２０は、筐体２０Ａに取り付けられた原稿カバー２２と、原稿カバー２２に設けられたＡＤＦ（自動原稿送り装置）２１とを備えている。原稿カバー２２は、本発明の第１カバー部材の一例である。ＡＤＦ２１は、本発明のシート搬送部の一例である。
【００１９】
読取ユニット１２は、ＬＥＤ光源１２１及びミラー１２２を備えている。読取ユニット１２は、ステッピングモーター等の駆動モーターを用いた不図示の移動機構によって図２に示す左右方向８へ移動可能に構成されている。そして、前記駆動モーターにより読取ユニット１２が左右方向８へ移動されると、ＬＥＤ光源１２１からコンタクトガラス１１へ向けて照射される光が左右方向８へ走査される。
【００２０】
ミラー１２２は、ＬＥＤ光源１２１から光が照射されたときに、原稿又は原稿カバー２２の裏面（対向面）で反射した反射光をミラー１３へ向けて反射させる。ミラー１２２で反射した光は、ミラー１３，１４によって光学レンズ１５に導かれる。光学レンズ１５は、入射した光を集光してＣＣＤ１６に入射させる。
【００２１】
ＣＣＤ１６は、受光した光をその光量（輝度の強度）に応じた電気信号（電圧）に変換して制御部（不図示）へ出力する光電変換素子である。前記制御部では、ＣＣＤ１６からの電気信号を画像処理することによって原稿の画像データを生成する。なお、本実施形態では、撮像素子としてＣＣＤ１６を用いた例について説明するが、ＣＣＤ１６による読取機構に代えて、コンタクトイメージセンサー（ＣＩＳ: Contact Image Sensor）を用いた読取機構を適用することも可能である。
【００２２】
画像読取装置２０には、原稿カバー２２が回動自在に設けられている。画像読取装置２０の筐体２０Ａの上部の後端側に左右方向８へ延びる回動軸（第１支軸の一例）が設けられており、原稿カバー２２は、前記回動軸を回動支点として、筐体２０Ａの上面２０Ｂに対して回動可能に支持されている。本実施形態では、原稿カバー２２は、コンタクトガラス１１に対して開閉可能に支持されている。つまり、原稿カバー２２は、コンタクトガラス１１を含む筐体２０Ａの上面２０Ｂを覆う閉位置（第１閉位置、図３（Ａ）に示される位置）と、上面２０Ｂから上方へ離間して上面２０Ｂを露出する開位置（第１開位置、図３（Ｂ）に示される位置）との間で回動可能（変位可能）である。原稿カバー２２が回動操作されることによって、画像読取装置２０の上面のコンタクトガラス１１が開閉される。なお、以下の説明では、原稿カバー２２の閉位置を第１閉位置と称し、開位置を第１開位置と称する。
【００２３】
ここで、画像読取装置２０による原稿画像の読み取りは、以下の手順で行われる。まず、原稿がコンタクトガラス１１上に載置され、その後、原稿カバー２２が閉じられる。そして、操作表示部２４から画像読取指示が入力されると、読取ユニット１２を左右方向８の右向きへ移動させつつＬＥＤ光源１２１から連続して順次１ライン分の光が照射される。そして、原稿又は原稿カバー２２の裏面からの反射光がミラー１２２，１３，１４及び光学レンズ１５を介してＣＣＤ１６に導かれ、ＣＣＤ１６で受光した光量に応じた光量データが前記制御部に出力される。前記制御部では、光が照射された領域全体における光量データが得られると、その光量データを処理することによって、前記光量データから原稿の画像データを生成する。
【００２４】
図２に示されるように、ＡＤＦ２１は、原稿カバー２２に設けられている。ＡＤＦ２１は、予め定められた後述の読取位置１２Ａへ原稿（シートの一例）を搬送する。ＡＤＦ２１は、原稿トレイ２１Ａ、給送機構２３、レジストローラー対２６、複数の搬送ローラー対２７、原稿押さえ２８、排紙部２１Ｂなどを備えた自動原稿送り装置である。また、ＡＤＦ２１は、ＡＤＦカバー２９、及び検知機構７０を備える。なお、ＡＤＦカバー２９は本発明の第２カバー部材の一例である。
【００２５】
排紙部２１Ｂは原稿カバー２２の上面に設けられており、原稿トレイ２１Ａは排紙部２１Ｂの上方に配置されている。ＡＤＦ２１は、原稿トレイ２１Ａから排紙部２１Ｂに至る湾曲形状の原稿搬送路４０に沿って原稿を搬送する。原稿搬送路４０は、原稿を搬送するための通路であって、原稿トレイ２１Ａから左方向へ延出され、下方へ湾曲されてから右方向へ延出されて排紙部２１Ｂに至っている。
【００２６】
給送機構２３は、原稿搬送路４０において原稿の搬送方向の最上流位置に設けられている。給送機構２３は、ピックアップローラー２３Ａ、給送ローラー２３Ｂ、分離ローラー２３Ｃを備える。ピックアップローラー２３Ａは、前後方向８の中央に設けられている。ピックアップローラー２３Ａは、原稿トレイ２１Ａに載置された複数の原稿うち最上位の原稿に当接して回転することにより、原稿を下流側へ給送する。給送ローラー２３Ｂ及び分離ローラー２３Ｃは、原稿搬送路４０においてピックアップローラー２３Ａよりも下流側に設けられている。給送ローラー２３Ｂ及び分離ローラー２３Ｃは互いに圧接した状態で回転可能に支持されている。給送ローラー２３Ｂ及び分離ローラー２３Ｃは、ピックアップローラー２３Ａから給送された原稿を１枚ずつ分離して更に下流側へ搬送する。
【００２７】
レジストローラー対２６は、原稿搬送路４０において給送ローラー２３Ｂよりも下流側に設けられている。レジストローラー対２６は、読取位置１２Ａへ原稿を搬送するものであり、駆動ローラー２６Ａと、従動ローラー２６Ｂとからなる一対のローラー対である。駆動ローラー２６Ａは、図示しない駆動モーター（駆動部）によって回転駆動されるものであり、原稿搬送路４０の下側でＡＤＦ２１の内部フレームに回転可能に設けられている。従動ローラー２６Ｂは、駆動ローラー２６Ａに圧接されている。従動ローラー２６Ｂのローラー面を構成する表面層は弾力を有するシリコン樹脂などの弾性部材で構成されている。一方、駆動ローラー２６Ａの表面層は従動ローラー２６Ｂの表面層よりも硬い材質で構成されている。
【００２８】
従動ローラー２６Ｂは、原稿搬送路４０を挟んで駆動ローラー２６Ａよりも上側に回転可能に設けられている。つまり、駆動ローラー２６Ａ及び従動ローラー２６Ｂは、互いに圧接した状態で回転可能に設けられている。駆動ローラー２６Ａに従動ローラー２６Ｂが圧接した状態で駆動ローラー２６Ａが回転駆動されると、従動ローラー２６Ｂは駆動ローラー２６Ａの回動に伴って従動する。本実施形態では、従動ローラー２６Ｂは、ＡＤＦカバー２９に回転可能に支持されている。
【００２９】
レジストローラー対２６は、給送ローラー２３Ｂから送られてきた原稿に対してスキュー補正（斜行補正）をしてから、更に下流側へ原稿を搬送する。具体的には、レジストローラー対２６の回転が停止した状態で上流側から送られてきた原稿の先端がレジストローラー対２６のニップ部に押しつけられることによりスキュー補正がなされ、所定時間経過後に、レジストローラー対２６が回転駆動されることにより、補正後の原稿が下流側へ搬送される。
【００３０】
レジストローラー対２６の下流側に複数の搬送ローラー対２７が適宜配置されている。給送機構２３及びレジストローラー対２６によって、原稿トレイ２１Ａにセットされた複数の原稿が順番に一枚ずつコンタクトガラス１１上の読取位置１２Ａへ向けて搬送される。そして、搬送ローラー対２７によって、読取位置１２Ａを通過するように原稿が搬送されて、更に排紙部２１Ｂまで搬送される。
【００３１】
原稿搬送路４０は、読取位置１２Ａにおいてコンタクトガラス１１側に露出する開口を有する。この開口の上方に原稿押さえ２８が配置されている。読取位置１２Ａを通過する原稿は、原稿押さえ２８によって前記開口からＡＤＦ２１の外部（コンタクトガラス１１の上面）へ案内されて、コンタクトガラス１１上を滑るように移動し、読取位置１２Ａを通過した後に、再び前記開口からＡＤＦ２１の内部に案内される。この際、画像読取装置２０は、読取位置１２Ａを通過する原稿の表面の画像を読取ユニット１２に読み取らせる。具体的には、ＡＤＦ２１による原稿の移動時に、読取位置１２Ａの下方に読取ユニット１２が配置され、この読取位置１２Ａで読取ユニット１２によって移動中の原稿の画像データが読み取られる。
【００３２】
ＡＤＦ２１は、ＡＤＦカバー２９と、サイドカバー２１Ｃ，２１Ｄとを備える。言い換えると、ＡＤＦカバー２９及びサイドカバー２１Ｃ，２１Ｄは、ＡＤＦ２１を備える原稿カバー２２に設けられている。ＡＤＦカバー２９は、本発明の第２カバー部材の一例である。ＡＤＦカバー２９は、その上部の外装カバーである。サイドカバー２１Ｃ，２１Ｄは、ＡＤＦ２１の前後方向７の両側の外装カバーである。ＡＤＦカバー２９は、本発明の第２カバー部材の一例であり、ＡＤＦ２１の上部を覆ってその内部を閉塞する。
【００３３】
ＡＤＦカバー２９は、ＡＤＦ２１の上部を覆ってその内部を閉塞する。具体的には、ＡＤＦカバー２９は、ＡＤＦ２１の内部に形成された原稿搬送路４０を覆う。ＡＤＦ２１の左端側に前後方向７へ延びる回動軸（第２支軸の一例）が設けられており、ＡＤＦカバー２９は、前記回動軸を回動支点として回動可能にＡＤＦ２１に支持されている。ここで、原稿カバー２２の回動軸が左右方向８へ延びているのに対して、ＡＤＦカバー２９の回動軸は、原稿カバー２２の回動軸に直交する前後方向７へ延びている。本実施形態では、ＡＤＦカバー２９は、ＡＤＦ２１に対して開閉可能に支持されている。具体的には、ＡＤＦカバー２９は、原稿搬送路４０を含むＡＤＦ２１の内部を覆って閉塞する閉位置（第２閉位置、図３（Ａ）に示される位置）と、ＡＤＦ２１の内部とともに原稿搬送路４０を開放する開位置（図４に示される位置）との間で回動可能（変位可能）である。ＡＤＦカバーが回動操作されることによって、原稿搬送路４０が開閉されて、原稿搬送路４０が露出される。なお、以下の説明では、ＡＤＦカバー２９の閉位置を第２閉位置と称し、その開位置を第２開位置と称する。
【００３４】
図４に示されるように、ＡＤＦカバー２９に、従動ローラー２６Ｂが回転可能に支持されている。従動ローラー２６Ｂは、ＡＤＦカバー２９の裏面において、前後方向８の中央に設けられている。また、従動ローラー２６Ｂは、ＡＤＦカバー２９の裏面において前後方向８へ隔てた２つのコロ４２と、これらのコロ４２を回転可能に支持する回転軸４３（支軸）とを有する。なお、回転軸４３は、ＡＤＦカバー２９の裏面に形成された一対の支持部（不図示）によって回転可能に支持されている。
【００３５】
図５は、画像読取装置２０において、ＡＤＦカバー２９及びサイドカバー２１Ｃ，２１Ｄが取り外された状態を示す。ここで、ＡＤＦカバー２９及びサイドカバー２１Ｃ，２１Ｄの装着時の位置関係を示すために、本来はＡＤＦカバー２９及びサイドカバー２１Ｃ，２１Ｄに装着されている各部材を図５に示している。図５に示されるように、ＡＤＦ２１は、前後方向７の両側に一対の縦フレーム４５，４６が設けられている。縦フレーム４５は前方に位置しており、縦フレーム４６は後方に位置している。サイドカバー２１Ｃは縦フレーム４５に取り付けられており、サイドカバー２１Ｄは縦フレーム４６に取り付けられている。
【００３６】
ところで、上述したように原稿カバー２２及びＡＤＦカバー２１を備えた画像読取装置２０においては、原稿カバー２２及びＡＤＦカバー２１が開いた状態で画像読取が行われたり、原稿の搬送が行われると、画像不良がジャムが生じる。このため、従来、原稿カバー２２及びＡＤＦカバー２１の開閉状態を別々の位置に設けられた検知機構によって独立して個別に検知していた。これに対して、本実施形態では、一箇所に設けられた一つの検知機構７０によって、原稿カバー２２及びＡＤＦカバー２１それぞれの開閉状態を検知するようにしている。
【００３７】
以下、検知機構７０の構成及び動作について説明する。
【００３８】
図５及び図６に示されるように、検知機構７０は、ＡＤＦ２１の後方側に設けられている。検知機構７０は、アクチュエータ７１（検知部材の一例）と、透過型のフォトインタラプタ７２（センサーの一例）とにより構成されている。アクチュエータ７１は、ＡＤＦカバー２９に設けられている（図４、図７参照）。また、フォトインタラプタ７２は、縦フレーム４６の後方側に設けられている（図７参照）。なお、図５では、フォトインタラプタ７２を取り付けるためのブラケット７３がフォトインタラプタ７２の後方側（紙面手前側）に配置されているため、フォトインタラプタ７２が示されていない。また、図６では、説明の便宜上、ブラケット７３が取り外された状態が示されている。
【００３９】
フォトインタラプタ７２は、原稿カバー２２の後方側に設けられている。フォトインタラプタ７２は、発光素子７２Ａと受光素子７２Ｂとを有する所謂光学センサーである。発光素子７２Ａと受光素子７２Ｂとが所定の間隙７２Ｃを隔てて左右方向８に並んで配置されている。発光素子７２Ａから出射された光は、間隙７２Ｃを通って受光素子７２Ｂに入射され、受光素子７２Ｂからその入射光の強度に応じた電気信号が前記制御部に送り出される。間隙７２Ｃは、フォトインタラプタ７２の検知領域である。前記制御部は、フォトインタラプタ７２からの前記電気信号のレベル（電圧信号の場合はその電圧値の大きさ）に基づいて、間隙７２Ｃにおける被検知部の有無を検知する。言い換えると、フォトインタラプタ７２は、間隙７２Ｃにおける被検知部の有無を検知する。例えば、間隙７２Ｃに後述のアクチュエータ７１の被検知部８１が進入すると、受光素子７２Ｂからの電気信号のレベルが所定の閾値よりも低くなり、その場合に前記制御部は、間隙７２Ｃに被検知部８１が存在していると判定する。また、間隙７２Ｃから被検知部８１が退避すると、受光素子７２Ｂからの電気信号のレベルが所定の閾値よりも高くなり、その場合に前記制御部は、間隙７２Ｃから被検知部８１が退避したと判定する。
【００４０】
図６に示されるように、フォトインタラプタ７２は、アクチュエータ７１の被検知部８１が進入又は退避可能なように、発光素子７２Ａと受光素子７２Ｂとの間隙７２Ｃが縦フレーム４６に向くように配置されている。
【００４１】
なお、本実施形態では、センサーの一例としてフォトインタラプタ７２を例示するが、アクチュエータ７１の被検知部８１が検知可能なものであれば、透過型のフォトインタラプタ７２に限られず、反射型のフォトインタラプタを適用してもよい。もちろん、光学センサー以外のセンサー、例えば接点スイッチを含むセンサーなどを適用してもよい。
【００４２】
図４及び図７に示されるように、アクチュエータ７１はＡＤＦカバー２９に設けられている。アクチュエータ７１は、フォトインタラプタ７２によって検知される被検知部８１を有している。本実施形態では、アクチュエータ７１は、第１検知位置と第２検知位置との間で変位可能に構成されている。ここで、前記第１検知位置は、原稿カバー２２が前記第１閉位置にありＡＤＦカバー２９が前記第２閉位置にあるときに被検知部８１が間隙７２Ｃに配置されるときの位置である。また、前記第２検知位置は、原稿カバー２２及びＡＤＦカバー２９のいずれか一方が前記第１開位置又は前記第２開位置にあるときに被検知部８１が間隙７２Ｃから離れた領域に配置される位置である。
【００４３】
被検知部８１は、細幅で縦長の平板形状に形成されており、フォトインタラプタ７２の間隙に対して進入可能に形成されている。図８に示されるように、アクチュエータ７１は、被検知部８１に加え、揺動軸８２（第１揺動軸の一例）を有する。揺動軸８２は、ＡＤＦカバー２９の前記回動軸からＡＤＦカバー２９の回動端２９Ａ（図４参照）へ向かう方向に延びている。図７に示されるように、アクチュエータ７１は、揺動軸８２を中心に揺動自在にＡＤＦカバー２９に設けられている。具体的には、ＡＤＦカバー２９の裏面に揺動軸８２を支持する支持溝８３がＡＤＦカバー２９と一体に形成されており、その支持溝８３に揺動軸８２が挿通されている。
【００４４】
アクチュエータ７１は、揺動軸８２からＡＤＦカバー２９の前記回動軸の軸方向と同じ方向であって、後方へ延びるアーム形状に形成されたアーム部８５を有する。つまり、アクチュエータ７１は、アーム形状に形成されている。アーム部８５の延出端に被検知部８１が形成されている。アーム部８５は、被検知部８１よりも幅広に形成されており、アーム部８５から被検知部８１に至る部分が先細り形状に形成されている。
【００４５】
ＡＤＦカバー２９は、その回動軸の軸方向の一方側（後方側）に側面２９を有する。側面２９は、ＡＤＦカバー２９の回動軸の軸方向の垂直な面である。アーム部８５及び被検知部８１は、ＡＤＦカバー２９の側面２９Ｂから外方向（後方）へ露出されている。具体的には、図７に示されるように、側面２９Ｂに支持溝８３に連通する開口２９Ｃが形成されており、この開口２９Ｃを通じてアーム部８５及び被検知部８１が後方へ露出されている。
【００４６】
縦フレーム４６には、フォトインタラプタ７２と対向される位置に縦溝７６（縦溝部の一例）が形成されている。縦溝７６は、縦フレーム４６の上端４６Ａから下方へ切り欠かれた細幅のスリットである。この縦溝７６は、ＡＤＦカバー２９が前記第２閉位置に配置されたときにアクチュエータ７１の露出部分であるアーム部８５が挿入する部分である。ＡＤＦカバー２９が前記第２閉位置に配置され、アーム部８５が縦溝７６に挿入された状態で、被検知部８１がフォトインタラプタ７２の間隙７２Ｃに進入可能となる。このため、フォトインタラプタ７２は、ＡＤＦカバー２９が前記第２閉位置にあるときにその側面２９Ｂに対向する位置に設けられている。
【００４７】
縦溝７６の左側の縁部には、上端４６Ａに至る角部に形成された湾曲状のガイド面４７が形成されている。ガイド面４７は、アクチュエータ７１のアーム部８５が縦溝７６から抜け出るときにアーム部８５に当接してアーム部８５を上方へ変位させることを可能にする。具体的には、ガイド面４７は、縦溝７６においてＡＤＦカバー２９の回動軸側の縁部に形成されている。ガイド面４７は、ＡＤＦカバー２９が前記第２閉位置から前記第２開位置へ向けて持ち上げられて、アクチュエータ７１のアーム部８５及び被検知部８１が縦溝７６から抜け出るときに、アーム部８５に当接してアクチュエータ７１を揺動させてアーム部８５とともに被検知部８１を上方へ変位させる。本実施形態では、ガイド面４７は、アーム部８５が縦溝７６から抜け出るときに常に当接するのではない。例えば、ＡＤＦカバー２９が前記第２閉位置から前記第２開位置へ向けて持ち上げられたときに、アクチュエータ７１がスムーズに揺動せずにアーム部８５の上方への移動が不足した場合に、アーム部８５に当接する。もちろん、ガイド面４７は、アーム部８５が縦溝７６から抜け出るときに常に当接してアーム部８５を上方へ安定的に案内するように構成されていてもよい。なお、本実施形態では、湾曲形状のガイド面４７を例示するが、ガイド面４７は、湾曲形状に限られず、アーム部８５を上方へ変位させるように案内するものであれば、例えば傾斜面などのような形状であってもよい。
【００４８】
また、アクチュエータ７１は、揺動軸８２からＡＤＦカバー２９の前記回動軸の軸方向と同じ方向であって、前方側にバランス部８６を有する。バランス部８６は、アクチュエータ７１の揺動軸８２が支持溝８３で支持された状態で、常に略水平な姿勢を維持するように釣り合いをとるためのものである。本実施形態では、アーム部７５と概ね同じ重量となるバランス部８６が揺動軸８２の前方側に設けられている。本実施形態では、アーム部７５と概ね同じ重量となるバランス部８６が揺動軸８２の前方側に設けられている。このようにアクチュエータ７１が構成されているため、原稿カバー２２がどの位置にあっても、アクチュエータ７１は、常に水平姿勢を維持する。つまり、原稿カバー２２がどの位置に回動されても、アクチュエータ７１はアーム部８５とバランス部８６との重量バランスをとりながら水平姿勢となる位置まで揺動する。
【００４９】
このように検知機構７０が構成されているため、原稿カバー２２及びＡＤＦカバー２９の両方の開閉状態を検知機構７０だけで検知することが可能である。
【００５０】
具体的には、図９（Ａ）及び図１０（Ａ）に示されるように、原稿カバー２２が前記第１閉位置にありＡＤＦカバー２９が前記第２閉位置にあるとき、アクチュエータ７１は略水平姿勢を維持しており、これにより、被検知部８１がフォトインタラプタ７２の間隙７２Ｃに進入している。このときのアクチュエータ７１の姿勢は前記第１検知位置に対応している。つまり、図９（Ａ）及び図１０（Ａ）に示されるように、原稿カバー２２が前記第１閉位置にありＡＤＦカバー２９が前記第２閉位置にあるときに被検知部８１が間隙７２Ｃに配置されるときのアクチュエータ７１の姿勢が前記第１検知位置である。このように、被検知部８１が間隙７２Ｃに進入しているため、フォトインタラプタ７２の光が遮蔽され、受光素子７２Ｂからの低レベルの電気信号を受けて、前記制御部は、原稿カバー２２が前記第１閉位置にありＡＤＦカバー２９が前記第２閉位置にあることを判定できる。つまり、検知機構７０は、原稿カバー２２及びＡＤＦカバー２９が閉じられていることを検知できる。
【００５１】
一方、図９（Ｂ）に示されるように、ＡＤＦカバー２９は閉じられたままの状態で原稿カバー２２が前記第１閉位置から上方へ変位した位置にあるときでも、アクチュエータ７１は重量バランスをとりつつ略水平姿勢を維持している。しかしながら、アーム部８５の被検知部８１は、原稿カバー２２の上方への変位に伴って間隙７２Ｃを上方へ抜け出る。このときのアクチュエータ７１の姿勢は前記第２検知位置に対応している。つまり、図９（Ｂ）に示されるように、原稿カバー２２だけが開けられて前記第１開位置にされたときに被検知部８１が間隙７２Ｃから離れた位置に配置される。このときのアクチュエータ７１の姿勢が前記第２検知位置である。この場合、フォトインタラプタ７２の光が遮蔽されなくなり、受光素子７２Ｂからの高レベルの電気信号を受けて、前記制御部は、原稿カバー２２またはＡＤＦカバー２９のいずれかが前記第１開位置又は前記第２開位置にあることを判定できる。つまり、検知機構７０は、原稿カバー２２又はＡＤＦカバー２９のいずれか一方が開いていることを検知できる。
【００５２】
また、図１０（Ｂ）に示されるように、原稿カバー２２は閉じられたままの状態でＡＤＦカバー２９が前記第２閉位置から上方へ変位した位置にあるとき、アクチュエータ７１はＡＤＦカバー２９の変位に伴って上方へ移動する。これにより、アーム部８５の被検知部８１は、間隙７２Ｃを上方へ抜け出る。このときのアクチュエータ７１の姿勢は前記第２検知位置に対応している。つまり、図１０（Ｂ）に示されるように、ＡＤＦカバー２９だけが開けられて前記第２開位置にされたときに被検知部８１が間隙７２Ｃから離れた位置に配置される。このときのアクチュエータ７１の姿勢が前記第２検知位置である。この場合、フォトインタラプタ７２の光が遮蔽されなくなり、受光素子７２Ｂからの高レベルの電気信号を受けて、前記制御部は、原稿カバー２２またはＡＤＦカバー２９のいずれかが前記第１開位置又は前記第２開位置にあることを判定できる。つまり、検知機構７０は、原稿カバー２２又はＡＤＦカバー２９のいずれか一方が開いていることを検知できる。
【００５３】
なお、図１０（Ｂ）に示されるように、アクチュエータ７１がＡＤＦカバー２９の変位に伴って上方へ移動すると、ＡＤＦカバー２９の回動軸が左側に位置しているため、アクチュエータ７１が左側へ寄りつつ上方へ変位する。このとき、アーム部８５の下端がガイド面４７に当接して、アーム部８５を上方へ押圧しつつ案内する。このため、アクチュエータ７１は上方へ変位しつつ揺動軸８２を中心に揺動して、アーム部８５を上方へ変位させる。このようにガイド面４７が設けられているため、アーム部８５は引っかかることなく円滑に上方へ押し上げられ、縦溝７６から抜け出ることができる。
【００５４】
［第２実施形態］
図１１及び図１２を参照して、本発明の第２実施形態に用いられる検知機構９０の構成について説明する。なお、本実施形態において、上述の第１実施形態と異なるところは、検知機構７０に代えて検知機構９０を適用した点であり、それ以外の構成は同じであるため、以下においては、共通する構成については同じ符号を付すことによりその説明を省略し、主に検知機構９０の構成について説明する。
【００５５】
図１１に示されるように、検知機構９０は、アクチュエータ９１（検知部材の一例）と、反射型のフォトインタラプタ９２（センサーの一例）と、コイルバネ９３（付勢部材の一例）と、により構成されている。
【００５６】
フォトインタラプタ９２は、上述の第１実施形態のフォトインタラプタ７２と同じ構成のものである。フォトインタラプタ９２は、その検知領域である発光素子と受光素子との間の間隙９２Ａに、アクチュエータ９１の被検知部１０１があるかどうかを検知する。フォトインタラプタ９２は、原稿カバー２２に設けられており、詳細には、ＡＤＦ２１の内部フレームに取り付けられている。本実施形態では、フォトインタラプタ９２は、下方に間隙９２Ａが向くように配置されている。つまり、下方及び左右方向から被検知部１０１が進入可能に配置されている。
【００５７】
アクチュエータ９１は、原稿カバー２２に設けられており、詳細には、ＡＤＦ２１の内部に設けられている。アクチュエータ９１は、原稿カバー２２の開閉（変位）に応じて筐体２０Ａの上面２０Ｂに対して接離する方向である上下方向６（接離方向）へ移動可能（変位可能）であり、且つ、ＡＤＦカバーの開閉（変位）に応じてＡＤＦカバー２９の前記回動軸に直交する左右方向８（直交方向）へ移動可能に設けられている。図１１に示されるように、アクチュエータ９１は、上下方向６に長い棒状に形成されており、フォトインタラプタ９２によって検知される被検知部１０１は、その上端において右側から右方へ突出している。アクチュエータ９１の下端部９１Ｂは、ＡＤＦ２１の底面に形成された開口９５から上面２０Ｂへ向けて突出している。下端部９１Ｂは、原稿カバー２２が前記第１閉位置にあるときに、上面２０Ｂに当接して上方へ押圧される。開口９５の周縁は、下端部９１Ｂを挟持しており、そのため、アクチュエータ９１に対して左右方向８の力が加えられると、アクチュエータ９１は、開口９５によって挟持された部分を支点として左右方向８へ揺動する。
【００５８】
ＡＤＦ２１の内部には、アクチュエータ９１の上下方向６の移動を規制する規制部９８が設けられている。そのため、アクチュエータ９１は、被検知部１０１が間隙９２Ａに進入した第１検知位置から下方へ抜け出した第２検知位置において、規制部９８によって下方への移動が規制される。また、ＡＤＦカバー２９の裏面には、アクチュエータ９１の上端部９１Ａに当接して、アクチュエータ９１を右側へ押圧する傾斜面を有する押圧部９９が設けられている。この押圧部９９が上端部９１Ａに当接することにより、アクチュエータ９１が左側へ変位することが規制されている。
【００５９】
コイルバネ９３は、アクチュエータ９１に弾性付勢力を付与するものである。コイルバネ９３は、アクチュエータ９１と、アクチュエータ９１よりも左側に位置する固定部９６とを連結している。コイルバネ９３の一方端は、アクチュエータ９１の中央よりも少し上方位置に設けられた連結部９７に連結されている。固定部９６は、連結部９７よりも下方に位置している。そのため、コイルバネ９３は、アクチュエータ９１に対して、上下方向６のうち上面２０Ｂに近づく下方向へアクチュエータ９１を引っ張るように付勢し、また、左右方向８のうち左側へアクチュエータ９１を引っ張るように付勢する。このため、コイルバネ９３による付勢力以外の力が無い場合は、アクチュエータ９１は下方向及び左方向へ引っ張られるように付勢されて、その方向へ変位する。
【００６０】
このように検知機構９０が構成されているため、原稿カバー２２及びＡＤＦカバー２９の両方の開閉状態を検知機構９０だけで検知することが可能である。
【００６１】
具体的には、図１１に示されるように、原稿カバー２２が前記第１閉位置にありＡＤＦカバー２９が前記第２閉位置にあるとき、アクチュエータ９１は、押圧部９９によって右側へ押圧されており、また、下端部９１Ｂが上面２０Ｂからの押圧力を受けて上方へ押し上げられている。これにより、被検知部１０１がフォトインタラプタ９２の間隙９２Ａに進入している。このため、フォトインタラプタ９２の光が遮蔽され、受光素子からの低レベルの電気信号を受けて、前記制御部は、原稿カバー２２が前記第１閉位置にありＡＤＦカバー２９が前記第２閉位置にあることを判定できる。つまり、検知機構９０は、原稿カバー２２及びＡＤＦカバー２９が閉じられていることを検知できる。
【００６２】
一方、図１２（Ａ）に示されるように、ＡＤＦカバー２９は閉じられたままの状態で原稿カバー２２が前記第１閉位置から上方へ変位すると、アクチュエータ９１はコイルバネ９３による下方への付勢力を受けて下方へ移動する。これにより、被検知部１０１は、間隙９２Ｃを下方へ抜け出る。この場合、フォトインタラプタ９２の光が遮蔽されなくなり、受光素子からの高レベルの電気信号を受けて、前記制御部は、原稿カバー２２またはＡＤＦカバー２９のいずれかが前記第１開位置又は前記第２開位置にあることを判定できる。つまり、検知機構９０は、原稿カバー２２又はＡＤＦカバー２９のいずれか一方が開いていることを検知できる。なお、アクチュエータ９１の下方への移動は、被検知部１０１が規制部９８に当接することにより止められる。
【００６３】
また、図１２（Ｂ）に示されるように、原稿カバー２２は閉じられたままの状態でＡＤＦカバー２９が前記第２閉位置から上方へ変位した位置にあるとき、押圧部９９と上端部９１Ａとの当接が解除される。このとき、アクチュエータ９１はコイルバネ９３による左方向の付勢力を受けて左方向へ移動する。これにより、被検知部１０１は、間隙９２Ｃを左方向へ抜け出る。この場合、フォトインタラプタ９２の光が遮蔽されなくなり、受光素子からの高レベルの電気信号を受けて、前記制御部は、原稿カバー２２またはＡＤＦカバー２９のいずれかが前記第１開位置又は前記第２開位置にあることを判定できる。つまり、検知機構９０は、原稿カバー２２又はＡＤＦカバー２９のいずれか一方が開いていることを検知できる。なお、図１２（Ｃ）に示されるように、原稿カバー２２又はＡＤＦカバー２９の両方が開いた状態である場合も、検知機構９０では、フォトインタラプタ９２の光が遮蔽されない。
【００６４】
なお、上述の実施形態では、連結部７０によってレジストローラー対２６を離間させることについて説明したが、連結部７０はレジストローラー対２６以外のローラー対、例えば、搬送ローラー対２７や、給送ローラー２３Ｂ及び分離ローラー２３Ｃからなるローラー対にも適用可能である。
【００６５】
また、上述の実施形態では、回転軸７１、一対のアーム部７２、突出部７３を有する連結部７０を例示したが、連結部７０は、プランジャー５２からの力を受けてレジストローラー対２６を離間させることが可能な機構であれば、どのような構成のものであってもよい。
【符号の説明】
【００６６】
１０：画像形成装置
２０：画像読取装置
２１：ＡＤＦ
２２：原稿カバー
２９：ＡＤＦカバー
４０：原稿搬送路
７０，９０：検知機構連結部
７１，９１：アクチュエータ
７２，９２：センサー
【図１】
2015142331.tif 000003
【図２】
2015142331.tif 000004
【図３】
2015142331.tif 000005
【図４】
2015142331.tif 000006
【図５】
2015142331.tif 000007
【図６】
2015142331.tif 000008
【図７】
2015142331.tif 000009
【図８】
2015142331.tif 000010
【図９】
2015142331.tif 000011
【図１０】
2015142331.tif 000012
【図１１】
2015142331.tif 000013
【図１２】
2015142331.tif 000014